(57)【要約】【課題】簡単な構成で、且つ主となる電気機器と連動させて、電源のオン、オフを切り換えることのできるコンセント装置を提供することにある。【解決手段】コンセント４を有し、パソコン本体７に搭載される電源スイッチと連動して、コンセント４への電源電圧の供給、停止を切り換えるコンセント装置１であって、パソコン本体７に搭載されるパイロットランプ８より出射される光を検知するフォトダイオード２と、商用電源１４とコンセント４との間に設けられ、商用電源とコンセント４との間の接続、遮断を切り換えるリレー接点１３ａと、フォトダイオード２により、パイロットランプ８の点灯が検知された際に、リレー接点１３ａをオンとするべく制御する制御部５と、を備えたことを特徴とする。【選択図】　　　図２
2004139841.tif 000002
【特許請求の範囲】
【請求項１】
コンセントを有し、電気機器に搭載される電源スイッチと連動して、前記コンセントへの電源電圧の供給、停止を切り換えるコンセント装置において、
前記電気機器に搭載される電源表示灯より出射される光を検知する光検知手段を備え、前記電源表示灯より出射される光が検知された際に、前記コンセントへ電源電圧を供給することを特徴とするコンセント装置。
【請求項２】
コンセントを有し、電気機器に搭載される電源スイッチと連動して、前記コンセントへの電源電圧の供給、停止を切り換えるコンセント装置において、
前記電気機器に搭載される電源表示灯より出射される光を検知する光検知手段と、
電源と前記コンセントとの間に設けられ、電源とコンセントとの間の接続、遮断を切り換える切り換え手段と、
前記光検知手段により、前記電源表示灯の点灯が検知された際に、前記切り換え手段に、前記コンセントをオンとするべく指令信号を出力する制御手段と、
を具備したことを特徴とするコンセント装置。
【請求項３】
コンセントを有し、電気機器に搭載される電源スイッチと連動して、前記コンセントへの電源電圧の供給、停止を切り換えるコンセント装置において、
前記電気機器に搭載される電源表示灯近傍に取り付けが可能であり、当該電源表示灯より出射される光を検知する光検知手段が収納された光検知用取り付け部材と、
電源と前記コンセントとの間に設けられ、電源とコンセントとの間の接続、遮断を切り換える切り換え手段と、
前記光検知手段により、前記電源表示灯の点灯が検知された際に、前記切り換え手段に、前記コンセントをオンとするべく指令信号を出力する制御手段と、
を具備したことを特徴とするコンセント装置。
【請求項４】
前記光検知用取り付け部材は、前記電源表示灯より出射された光を、当該光検知用取り付け部材の外部へ出射するための窓部を具備したことを特徴とする請求項３に記載のコンセント装置。
【請求項５】
前記光検知用取り付け部材は、外部側面に前記電源表示灯の点灯、消灯と連動して点灯、消灯する補助表示灯を具備したことを特徴とする請求項３に記載のコンセント装置。
【請求項６】
前記光検知用取り付け部材は、前記光検知手段による検知信号を無線信号として送信する送信手段を具備し、
前記制御手段は、前記送信手段より送信される検知信号を受信し、この検知信号に基づいて、前記コンセントのオン、オフを判断することを特徴とする請求項３〜請求項５のいずれか１項に記載のコンセント装置。
【請求項７】
前記光検知用取り付け部材は、前記送信手段を駆動するための電源となる太陽電池を備えたことを特徴とする請求項６に記載のコンセント装置。
【請求項８】
コンセントを有し、電気機器に搭載される電源スイッチと連動して、前記コンセントへの電源電圧の供給、停止を切り換えるコンセント装置において、
光伝達部材と、
前記電気機器に搭載される電源表示灯近傍に取り付けが可能であり、前記光伝達部材の一方の端部が連結された光検知用取り付け部材と、
電源と前記コンセントとの間に設けられ、電源とコンセントとの間の接続、遮断を切り換える切り換え手段と、
前記光伝達部材の他方の端部と接続され、該光伝達部材を経由して伝達される光を検出する光検知手段を有し、当該光検知手段にて光の伝達が検知された場合に、前記切り換え手段に対して、前記コンセントをオンとするべく指令信号を出力する制御手段と、
を具備したことを特徴とするコンセント装置。
【請求項９】
前記光検知用取り付け部材は、前記電源表示灯より出射された光を、当該光検知用取り付け部材の外部へ出射するための窓部と、
前記電源表示灯より出射された光を２分割し、一方を前記窓部へ導き、他方を前記光伝達部材の一方の端部へ導くハーフミラーと、
を具備したことを特徴とする請求項８に記載のコンセント装置。
【発明の詳細な説明】
【０００１】
【発明の属する技術分野】
本発明は、電気機器の電源のオン、オフ操作に連動して、電源電圧の供給、停止を切り換えるコンセント装置に関する。
【０００２】
【従来の技術】
例えば、一般家庭で用いられるパーソナルコンピュータでは、パソコン本体の外に、ディスプレイやプリンタ等の複数の周辺機器を具備しているので、使用時には、各機器毎に電源を投入する必要がある。また、使用停止時には、各機器毎に電源を停止する操作が必要となる。
【０００３】
そこで、このような煩わしい操作を回避するため、従来より、例えば、特開平８−１９５２５２号（以下、特許文献１という）に記載されたコンセント装置が提案されている。該特許文献１では、親となる電子機器（例えば、パソコン本体）にサービスコネクタを設置し、該サービスコネクタに電源プラグを差し込んで、親となる電子機器の電源のオン、オフ状態を検知し、親となる電子機器の電源が投入された際に、商用電源からの電圧をコンセントに供給する構成としている。
【０００４】
このような構成とすることにより、ディスプレイやプリンタ等の周辺機器の電源のオン、オフ操作を、パソコン本体（親となる電子機器）と連動して行うことができるので、操作性を向上させることができる。
【０００５】
【特許文献１】
特開平８−１９５２５２号公報（図１）
【０００６】
【発明が解決しようとする課題】
しかしながら、上述した特許文献１に記載されたものにおいては、親となる電子機器が、サービスコネクタを具備している必要がある。従って、このようなサービスコネクタを具備していない電子機器については、サービスコネクタを新規に設置する必要があり、予めサービスコネクタを備えていない電子機器に対しては用いることができないのが現状であった。
【０００７】
この発明は、このような従来の課題を解決するためになされたものであり、その目的とするところは、簡単な構成で、主となる電気機器と連動させて電源のオン、オフを切り換えることのできるコンセント装置を提供することにある。
【０００８】
【課題を解決するための手段】
上記目的を達成するため、本願請求項１に記載の発明は、コンセントを有し、電気機器に搭載される電源スイッチと連動して、前記コンセントへの電源電圧の供給、停止を切り換えるコンセント装置において、前記電気機器に搭載される電源表示灯より出射される光を検知する光検知手段を備え、前記電源表示灯より出射される光が検知された際に、前記コンセントへ電源電圧を供給することを特徴とする。
【０００９】
請求項２に記載の発明は、コンセントを有し、電気機器に搭載される電源スイッチと連動して、前記コンセントへの電源電圧の供給、停止を切り換えるコンセント装置において、前記電気機器に搭載される電源表示灯より出射される光を検知する光検知手段と、電源と前記コンセントとの間に設けられ、電源とコンセントとの間の接続、遮断を切り換える切り換え手段と、前記光検知手段により、前記電源表示灯の点灯が検知された際に、前記切り換え手段に、前記コンセントをオンとするべく指令信号を出力する制御手段と、を具備したことを特徴とする。
【００１０】
請求項３に記載の発明は、コンセントを有し、電気機器に搭載される電源スイッチと連動して、前記コンセントへの電源電圧の供給、停止を切り換えるコンセント装置において、前記電気機器に搭載される電源表示灯近傍に取り付けが可能であり、当該電源表示灯より出射される光を検知する光検知手段が収納された光検知用取り付け部材と、電源と前記コンセントとの間に設けられ、電源とコンセントとの間の接続、遮断を切り換える切り換え手段と、前記光検知手段により、前記電源表示灯の点灯が検知された際に、前記切り換え手段に、前記コンセントをオンとするべく指令信号を出力する制御手段と、を具備したことを特徴とする。
【００１１】
請求項４に記載の発明は、前記光検知用取り付け部材は、前記電源表示灯より出射された光を、当該光検知用取り付け部材の外部へ出射するための窓部を具備したことを特徴とする。
【００１２】
請求項５に記載の発明は、前記光検知用取り付け部材は、外部側面に前記電源表示灯の点灯、消灯と連動して点灯、消灯する補助表示灯を具備したことを特徴とする。
【００１３】
請求項６に記載の発明は、前記光検知用取り付け部材は、前記光検知手段による検知信号を無線信号として送信する送信手段を具備し、前記制御手段は、前記送信手段より送信される検知信号を受信し、この検知信号に基づいて、前記コンセントのオン、オフを判断することを特徴とする。
【００１４】
請求項７に記載の発明は、前記光検知用取り付け部材は、前記送信手段を駆動するための電源となる太陽電池を備えたことを特徴とする。
【００１５】
請求項８に記載の発明は、コンセントを有し、電気機器に搭載される電源スイッチと連動して、前記コンセントへの電源電圧の供給、停止を切り換えるコンセント装置において、光伝達部材と、前記電気機器に搭載される電源表示灯近傍に取り付けが可能であり、前記光伝達部材の一方の端部が連結された光検知用取り付け部材と、電源と前記コンセントとの間に設けられ、電源とコンセントとの間の接続、遮断を切り換える切り換え手段と、前記光伝達部材の他方の端部と接続され、該光伝達部材を経由して伝達される光を検出する光検知手段を有し、当該光検知手段にて光の伝達が検知された場合に、前記切り換え手段に対して、前記コンセントをオンとするべく指令信号を出力する制御手段と、を具備したことを特徴とする。
【００１６】
請求項９に記載の発明は、前記光検知用取り付け部材は、前記電源表示灯より出射された光を、当該光検知用取り付け部材の外部へ出射するための窓部と、前記電源表示灯より出射された光を２分割し、一方を前記窓部へ導き、他方を前記光伝達部材の一方の端部へ導くハーフミラーと、を具備したことを特徴とする。
【００１７】
【発明の実施の形態】
以下、本発明の実施形態を図面に基づいて説明する。図１は、本発明の第１の実施形態に係るコンセント装置の構成を示す斜視図、図２は、回路構成図である。
【００１８】
図１，図２に示すように、該コンセント装置１は、フォトダイオード（光検知手段）２を備えた光検知用カバー（光検知用取り付け部材）３と、複数個のコンセント４と、制御部（制御手段）５と、切り換え部（切り換え手段）６と、を具備している。
【００１９】
光検知用カバー３は、パソコン本体７の電気機器の電源スイッチの近傍に取り付けられたパイロットランプ（電源表示灯）８の周囲を覆設するように設置するものであり、内部空間を有する断面凹字形状をなしている。そして、該光検知用カバー３の内部には、フォトダイオード２が設けられ、該フォトダイオード２によりパイロットランプ８の点灯時に出射される光が検知されるようになっている。
【００２０】
また、光検知用カバー３の側面部には、パイロットランプ８より出射された光を外部へ出射するための透明な部材で構成された窓部９が設けられている。更に、該光検知用カバー３の、パソコン本体７と接触する部分には両面テープ３１が貼り付けられており、該両面テープ３１により、パソコン本体７に取り付けることができるようになっている。
【００２１】
制御部５は、直流電源１１と、フォトダイオード２より出力された電圧と所定の基準電圧とを比較するコンパレータ１２と、コンパレータ１２の出力が「Ｈ」レベルとなったときに励磁されるリレーコイル１３と、を有している。更に、基準電圧を適宜設定するための可変抵抗器ＶＲ１を備えている。
【００２２】
切り換え部６は、リレーコイル１３が励磁された際にオンとなる複数のリレー接点１３ａを具備しており、各リレー接点１３ａは、各コンセント４に対して直列的に接続され、当該リレー接点１３ａがオンとされた際に、各コンセント４に商用電源１４より出力される電圧が供給されるようになっている。
【００２３】
次に、上記のように構成された本実施形態に係るコンセント装置１の動作について説明する。
【００２４】
まず、パソコン本体７の電源スイッチがオフの場合には、パイロットランプ８が消灯しているので、フォトダイオード２では、光の照射が検知されない。従って、フォトダイオード２より出力される電圧信号は、可変抵抗器ＶＲ１で生成される基準電圧よりも低い値となり、コンパレータ１２の出力信号は、「Ｌ」レベルとなる。
【００２５】
よって、リレーコイル１３は励磁されず、リレー接点１３ａは、オフとなる。従って、コンセント４には、商用電源１４より出力される電圧は供給されず、該コンセント４に接続されるディスプレイ、プリンタ等の周辺機器１５は、起動しない。
【００２６】
また、操作者がパソコン本体７の電源スイッチを操作し、電源を投入すると、パイロットランプ８が点灯する。すると、光検知用カバー３内に設けられたフォトダイオード２により、このパイロットランプ８より出射された光が検知され、この光に応じた電圧信号がコンパレータ１２に供給される。この電圧信号は、可変抵抗器ＶＲ１により生成された基準電圧よりも大きいので、コンパレータ１２の出力信号は「Ｈ」レベルとなり、リレーコイル１３が励磁される。
【００２７】
これにより、切り換え部６が有する各リレー接点１３ａがオンとなり、各コンセント４に商用電源１４より出力される電圧が供給され、該コンセント４に接続された周辺機器１５に電源電圧が供給される。従って、各周辺機器１５を駆動させることができる。
【００２８】
このようにして、本発明の第１の実施形態に係るコンセント装置１では、パソコン本体７の電源を投入すると、これに連動してコンセント４に電源電圧が供給され、該コンセント４に接続されている各周辺機器に電源電圧を供給することができるので、パソコン本体７の電源スイッチをオンとすることにより、これと連動して各周辺機器１５をオンとすることができる。
【００２９】
またパソコン本体７の電源をオフとすることにより、各周辺機器１５をオフとすることができるので、複数の機器をそれぞれオン、オフ操作する必要がなく、操作性を向上させることができる。更に、光検知用カバー２は、窓部９を有しているので、パイロットランプ８の部分に光検知用カバー３を取り付けた状態でも、パイロットランプ８の点灯状態を視認することができ、パソコン本体７のオン、オフ状態を容易に確認することができる。
【００３０】
図３は、第１の実施形態に係るコンセント装置１に用いられる光検知用カバー３の、変形例の構成を示す説明図である。同図に示すように、該光検知用カバー３′は、側面部には、窓部は形成されておらず、その代わりに、発光ダイオード（補助表示灯）１６が設けられている。そして、該発光ダイオード１６は、制御部５に設けられたリレー接点１３ａを介して、直流電源１１に接続されている。
【００３１】
従って、リレーコイル１３が励磁されると、発光ダイオード１６が点灯するので、パソコン本体７の電源がオンとなっていることを知らせることができる。
【００３２】
次に、本発明の第２の実施形態について説明する。図４は、第２の実施形態に係るコンセント装置を示す構成図である。同図に示すように、該コンセント装置２１は、フォトダイオード（光検知手段）２２を備えた光検知用カバー（光検知用取り付け部材）２３と、複数のコンセント２４と、制御部（制御手段）２５と、切り換え部（切り換え手段）２６と、を具備している。
【００３３】
光検知用カバー２３は、筐体構造を成しており、両面テープ３１により、図１に示したパソコン本体７の、パイロットランプ８の部分に取り付けることができる。この際、パイロットランプ８とフォトダイオード２２とが対向配置され、パイロットランプ８の点灯状態が、フォトダイオード２２により検知されるようになっている。
【００３４】
更に、光検知用カバー２３内には、フォトダイオード２２により検知された信号を増幅するフォトアンプ２７と、増幅後の信号を送信する送信機２８、及び送信アンテナ２９と、電源電圧を供給する２次電池３０と、この２次電池３０を充電するための太陽電池３２と、送信機２８より送信する信号にＩＤを設定するＩＤ設定器３３と、を具備している。
【００３５】
また、制御部２５は、送信機２８より送信された信号を受信する受信アンテナ３４と、受信信号を増幅するＲＦアンプ３５と、デコーダ３６と、ＩＤ設定器３７と、リレーコイル３８と、直流電源１１と、を具備している。
【００３６】
切り換え部２６は、リレーコイル３８が励磁された際にオンとなる複数のリレー接点３８ａを具備しており、各リレー接点３８ａは、各コンセント２４に対して直列的に接続され、当該リレー接点３８ａがオンとされた際に、コンセント２４に商用電源１４より出力される電圧が供給されるようになっている。
【００３７】
次に、上記のように構成された本実施形態に係るコンセント装置２１の動作について説明する。
【００３８】
前述した第１の実施形態と同様に、パソコン本体７がオフの場合には、パイロットランプ８は消灯しているので、フォトダイオード２では、光の照射が検知されず、リレーコイル３８は励磁されない。よって、各コンセント２４には、商用電源１４よりの電源電圧は供給されない。
【００３９】
他方、パソコン本体７の電源スイッチがオンとされ、パイロットランプ８が点灯すると、該パイロットランプ８と対向して配置されたフォトダイオード２２により、光の照射が検知され、この検知信号は、フォトアンプ２７で増幅され、更に、この増幅された信号に、ＩＤ設定器３３にて設定されたＩＤデータが付加される。そして、ＩＤデータが付加された信号は、送信機２８及び送信アンテナ２９により、制御部２５側へと送信される。
【００４０】
この際、光検知用カバー２３内に設置した各機器は、２次電池３０より電源電圧が供給されて駆動する。また、２次電池３０は、太陽電池３２により充電される。
【００４１】
次いで、制御部２５の受信アンテナ３４では、送信機２８より送信された信号が受信され、ＲＦアンプ３５で増幅された後、ＩＤ設定器３７にて設定されたＩＤデータに基づき、デコーダ３６にてデコードされる。そして、該デコーダ３６の出力信号により、リレーコイル３８が励磁されるので、各リレー接点３８ａがオンとなり、各コンセント２４には商用電源１４より出力される電源電圧が供給される。従って、各コンセント２４に接続された周辺機器１５に電源電圧を供給することができ、各周辺機器１５を駆動させることができる。
【００４２】
このようにして、第２の実施形態に係るコンセント装置２１では、パイロットランプ８の点灯状態をフォトダイオード２２により検知し、更に、この検知信号を無線で制御部５に送信する構成としているので、光検知用カバー２３と制御部２５との間を電線を用いて連結する必要がなく、パソコン本体７の周辺の煩雑さを解消することができる。
【００４３】
また、太陽電池３２を用いて２次電池を充電するようにしているので、バッテリを交換する等の手間が不要であり、使い勝手が良い。更に、ＩＤ設定器３３，３７を用いて、ＩＤデータの照合を行っているので、狭い領域に同様のコンセント装置２１が複数存在する場合でも、確実に動作させることができる。
【００４４】
次に、本発明の第３の実施形態について説明する。図５は、第３の実施形態に係るコンセント装置の構成を示す説明図である。同図に示すように、該コンセント装置４１は、光検知用カバー４２と、制御部４３と、を有している。また、前述した第１の実施形態（図１，図２）と同様に、切り換え部、及びコンセントを具備しているが、図４では、これらを省略して記載している。
【００４５】
光検知用カバー４２は、内部空間を有する断面凹字形状をなし、両面テープ３１により、図１に示したパソコン本体７のパイロットランプ８の部分に取り付けるようになっている。
【００４６】
また、光検知用カバー４２の内部には、光ファイバ（光伝達部材）４４の一方の先端部が取り付けられており、該光ファイバ４４の先端部は、パイロットランプ８より出力される光照射方向に対して、略９０度となる方向を向いた位置に設置されている。光検知用カバー４２の側面には、透明な部材で構成された窓部４５が形成されている。
【００４７】
更に、光検知用カバー４２の内部には、パイロットランプ８よりの光出射方向に対して略４５度の方向を向くように、ハーフミラー４６が配設されており、パイロットランプ８より照射された光は、該ハーフミラー４６により２分割され、一方は窓部４５側へ導かれ、他方は光ファイバ４４側に導かれる。
【００４８】
制御部４３は、光ファイバ４４の他方の先端部と接続されており、該光ファイバ４４により伝達された光信号を電気信号に変換するフォトアンプ４７を具備している。
【００４９】
そして、このように構成された第３の実施形態に係るコンセント装置４１では、パイロットランプ８が点灯すると、この光が光ファイバ４４を介して制御部４３側へと導かれ、更に、フォトアンプ４７により電気信号に変換されるので、制御部４３では、この信号を受けてリレーコイルを励磁させ、リレー接点をオンとすることにより、複数のコンセントを導通状態とすることができる。
【００５０】
このようにして、本発明の第３の実施形態に係るコンセント装置４１では、パイロットランプ８より照射された光を、光ファイバ４４を用いて制御部４３側へと導くことにより、パイロットランプ８の点灯、消灯を検知し、パイロットランプ８点灯時には、コンセントが導通するように制御するので、パソコン本体７の電源操作と連動して、各コンセントのオン、オフを制御することができる。
【００５１】
以上、本発明のコンセント装置を図示の実施形態に基づいて説明したが、本発明はこれに限定されるものではなく、各部の構成は、同様の機能を有する任意の構成のものに置き換えることができる。
【００５２】
例えば、上記した各実施形態では、主となる電気機器としてパソコン本体７を例に挙げ、周辺機器としてディスプレイ、プリンタを例に挙げたが、本発明はこれに限定されるものではなく、オーディオ機器等の、他の電気機器についても適用することができる。
【００５３】
【発明の効果】
以上説明したように、本発明によれば、電気機器が有する電源表示灯の光信号を検出して、商用電源より出力される電源電圧の、各コンセントへの供給、停止が制御されるので、操作者は電気機器の電源スイッチをオン、オフ操作するだけで、各コンセントに接続された周辺機器の電源のオン、オフを切り換えることができる。これにより、主となる電気機器及びその周辺機器のそれぞれについて、電源スイッチのオン、オフ操作を行う必要がなくなり、操作性を著しく向上させることができる。
【００５４】
また、従来例のように、主となる電気機器がサービスコネクタを備える必要がなく、汎用性に富む。
【００５５】
更に、光検知用取り付け部材（光検知用カバー）の側面に、窓部、或いは補助表示灯を設けることにより、操作者は主となる電気機器のオン、オフ状態を容易に視認することができる。
【００５６】
また、光検知用取り付け部材から制御手段への信号伝達を無線で行うことにより、光検知用取り付け部材と制御手段との間を接続する電線を省略することができ、配線による煩雑さを防止することができる。
【００５７】
更に、光伝達部材（光ファイバ）を用いて、電源表示灯の点灯状態を制御部側へ伝達する構成とすることにより、光検知手段（フォトアンプ）を制御手段側に搭載することができる。
【図面の簡単な説明】
【図１】本発明の第１の実施形態に係るコンセント装置の構成を示す斜視図である。
【図２】本発明の第１の実施形態に係るコンセント装置の、回路構成図である。
【図３】第１の実施形態の変形例を示す構成図である。
【図４】本発明の第２の実施形態に係るコンセント装置を示す構成図である。
【図５】本発明の第３の実施形態に係るコンセント装置を示す構成図である。
【符号の説明】
１，２１，４１　コンセント装置
２，２２　フォトダイオード（光検知手段）
３，３′，２３，４２　光検知用カバー（光検知用取り付け部材）
４，２４　コンセント
５，２５，４３　制御部（制御手段）
６，２６　切り換え部（切り換え手段）
７　パソコン本体
８　パイロットランプ（電源表示灯）
９，４５　窓部
１１　直流電源
１２　コンパレータ
１３，３８　リレーコイル
１３ａ，３８ａ　リレー接点
１４　商用電源
１５　周辺機器
１６　発光ダイオード（補助表示灯）
２７，４７　フォトアンプ
２８　送信機（送信手段）
２９　送信アンテナ
３０　２次電池
３１　両面テープ
３２　太陽電池
３３，３７　ＩＤ設定器
３４　受信アンテナ
３５　ＲＦアンプ
３６　デコーダ
４４　光ファイバ（光伝達部材）
４６　ハーフミラー
ＶＲ１　可変抵抗器
【図１】
2004139841.tif 000003
【図２】
2004139841.tif 000004
【図３】
2004139841.tif 000005
【図４】
2004139841.tif 000006
【図５】
2004139841.tif 000007